(57)【要約】      （修正有）【課題】蓋板の上面に形成される位置決め板を底板の切欠きによって形成される凹部に係合させて位置決めを行なう包装箱において、封緘機能を改善するとともに、位置決めの機能を強化する。【解決手段】蓋体２０の上面に接合される位置決め板２４の形状を、根元側の方が幅が狭くて先端側の方が幅が広い逆台形状とし、底板３０の切欠き３２によって形成される凹部についても、上記位置決め板２４の逆台形状の形状と整合する形状とする。【選択図】図１
2014069838.tif 000002
【特許請求の範囲】
【請求項１】
互いに対向する一対の側板の上端にそれぞれ折曲げ可能に連設され、上部開口を閉じる蓋板と、
前記一対の側板の下端にそれぞれ折曲げ可能に連設され、底部開口を閉じる底板と、
前記一対の側板と直交しかつ互いに対向する一対の別の側板の上端にそれぞれ連設され、前記蓋板の上に重なるように折曲げられる位置決め板と、
前記底板の側部に形成され、前記位置決め板を受入れる凹部を形成する切欠きと、
を具備し、前記位置決め板が根元側よりも先端側の方の幅が広い形状に構成されるとともに、両側の前記底板の切欠きを組合わせて形成される前記凹部が前記位置決め板と整合する形状に構成され、
この包装箱を複数段に積重ねると前記位置決め板が上側の包装箱の底部の切欠きによって形成される前記凹部と整合して位置決めされる包装箱。
【請求項２】
前記別の側板の下端にフラップが連設され、該フラップが前記底板の内側に重なるように折曲げられるとともに、前記フラップが前記底板の切欠きによって形成される前記凹部を内側から閉塞する請求項１に記載の包装箱。
【請求項３】
前記側板と前記別の側板との間に斜めの側板が両側の折曲げ線を介して配され、横断面形状が８角形である請求項１または請求項２に記載の包装箱。
【請求項４】
前記位置決め板が根元側よりも先端側の方が幅が広い逆台形状をなす請求項１〜３に記載の包装箱。
【請求項５】
前記位置決め板の下面が前記蓋板の上面に糊付けされて接合される請求項１〜４の何れかに記載の包装箱。
【請求項６】
前記フラップの下面が前記底板の上面に糊付けされて接合される請求項２に記載の包装箱。
【請求項７】
前記糊付けのための糊剤としてホットメルトとコールドグルーとが用いられ、前記ホットメルトと前記コールドグルーとが交互に筋条に塗付されて糊付けされる請求項５または請求項６に記載の包装箱。
【発明の詳細な説明】
【技術分野】
【０００１】
本発明は、包装箱に係り、とくに複数段に積重ねたときに上下の包装箱が互いに位置決めされる位置決め機能を有する包装箱に関する。
【背景技術】
【０００２】
各種の物品を収納するために、例えば特開２０００−１８５７３２号公報に示されるように、段ボールによって直方体状に組立てられた包装箱が広く用いられている。
【０００３】
また実開昭５９−１２６９２１号公報には、前後、左右側面板から成る箱本体の内の前後側面板の少なくともいずれか一方に、下端開口を閉じる下蓋部材が、また左右側面板の下端に、組立時に上記下蓋部材の左右両端部を支える支え片が、それぞれ連成され、支え片は組立時に下蓋部材の下面より下方へ肉厚相当分だけ突出して係合用突部を形成し、一方左右側面板の上端の少なくともいずれか一方に、内上蓋部材が、また前後側面板の上端に、外上蓋部材が連成され、外上蓋部材の左右の左右両側部は、支え片の平面形状に対応するように切除され、この切除部が係合用凹部を形成するようにした包装箱が開示されている。
【０００４】
このような包装箱は、何段にも積重ねる際に、上蓋部材の切除部にその上側に積上げられる包装箱の係合部材を係合させることによって、荷崩れを起すことなく安定に積重ねることが可能になる。
【０００５】
このような包装箱において、蓋板の上面に重合されるように接合される支え片から成る位置決め板として、従来は長方形あるいは台形状をなす形状に構成されている。このような従来の位置決め板の形状によると、とくに台形状に構成され、根元側が広くて先端側が狭くなっている形状であると、位置決め板の有効面積が小さくなる。従ってこのような位置決め板と蓋板または底板とを糊剤によって糊付けする際における糊の塗付面積が小さくなり、十分な接合強度を確保できないという欠点があった。
【０００６】
また上述のような台形状であって先端側が狭い形状の位置決め板を蓋板または底板の上面に接合する構成によると、底板または蓋板の凹部の形状も上記位置決め板に整合するようにしなければならず、このために蓋板または底板の両側であって切欠きよりも折曲げ線側（根元側）の部分の両側の直線状側端部の長さが短くなり、あるいはまた直線状側端部を確保することができなくなる。従ってこのことから、とくに蓋板または底板を切欠いて形成される凹部の強度が低下し、これによって位置決め機能が損なわれる可能性がある。
【先行技術文献】
【特許文献】
【０００７】
【特許文献１】特開２０００−１８５７３２号公報
【特許文献２】実開昭５９−１２６９２１号公報
【発明の概要】
【発明が解決しようとする課題】
【０００８】
本願発明の課題は、複数段に積重ねたときに上段の包装箱の底部の底板の切欠きによって形成される凹部と整合する下側の包装箱の上面の位置決め板が、十分な塗付面積を有し、これによって蓋板と確実に接合できるようにした包装箱を提供することである。
【０００９】
本願発明の別の課題は、上段の包装箱の下面の凹部と整合される下段の包装箱の上面の位置決め板を蓋板と接着する際における接着不良をなくし、自動封緘機による封緘を可能にした包装箱を提供することである。
【００１０】
本願発明のさらに別の課題は、下段の包装箱の位置決め板と整合する上段の包装箱の底部の凹部の形状を上記位置決め板と整合する形状とするとともに、上記凹部を形成するための底板の切欠きの根元側であってその両側に十分な直線状側端部を確保できるようにした包装箱を提供することである。
【００１１】
本願発明の上記の課題および別の課題は、以下に述べる本願発明の技術的思想およびその実施の形態によって明らかにされる。
【課題を解決するための手段】
【００１２】
本願の主要な発明は、
互いに対向する一対の側板の上端にそれぞれ折曲げ可能に連設され、上部開口を閉じる蓋板と、
前記一対の側板の下端にそれぞれ折曲げ可能に連設され、底部開口を閉じる底板と、
前記一対の側板と直交しかつ互いに対向する一対の別の側板の上端にそれぞれ連設され、前記蓋板の上に重なるように折曲げられる位置決め板と、
前記底板の側部に形成され、前記位置決め板を受入れる凹部を形成する切欠きと、
を具備し、前記位置決め板が根元側よりも先端側の方の幅が広い形状に構成されるとともに、両側の前記底板の切欠きを組合わせて形成される前記凹部が前記位置決め板と整合する形状に構成され、
この包装箱を複数段に積重ねると前記位置決め板が上側の包装箱の底部の切欠きによって形成される前記凹部と整合して位置決めされる包装箱に関するものである。
【００１３】
ここで、前記別の側板の下端にフラップが連設され、該フラップが前記底板の内側に重なるように折曲げられるとともに、前記フラップが前記底板の切欠きによって形成される前記凹部を内側から閉塞するようにしてよい。また前記側板と前記別の側板との間に斜めの側板が両側の折曲げ線を介して配され、横断面形状が８角形であってよい。また前記位置決め板が根元側よりも先端側の方が幅が広い逆台形状をなしてよい。また前記位置決め板の下面が前記蓋板の上面に糊付けされて接合されてよい。また前記フラップの下面が前記底板の上面に糊付けされて接合されてよい。また前記糊付けのための糊剤としてホットメルトとコールドグルーとが用いられ、前記ホットメルトと前記コールドグルーとが交互に筋条に塗付されて糊付けされてよい。
【発明の効果】
【００１４】
本願の主要な発明は、互いに対向する一対の側板の上端にそれぞれ折曲げ可能に連設され、上部開口を閉じる蓋板と、前記一対の側板の下端にそれぞれ折曲げ可能に連設され、底部開口を閉じる底板と、前記一対の側板と直交しかつ互いに対向する一対の別の側板の上端にそれぞれ連設され、前記蓋板の上に重なるように折曲げられる位置決め板と、前記底板の側部に形成され、前記位置決め板を受入れる凹部を形成する切欠きと、を具備し、前記位置決め板が根元側よりも先端側の方の幅が広い形状に構成されるとともに、両側の前記底板の切欠きを組合わせて形成される前記凹部が前記位置決め板と整合する形状に構成され、この包装箱を複数段に積重ねると前記位置決め板が上側の包装箱の底部の切欠きによって形成される前記凹部と整合して位置決めされる包装箱に関するものである。
【００１５】
従ってこのような構成による包装箱によると、この包装箱の蓋板の上面に接合される位置決め板が、根元側よりも先端側の方が幅が広い形状に構成されているために、根元側の部分の幅が小さくてもなお十分な糊付け面積を確保することができ、これによって蓋板との間での接着不良を回避して確実な接合を行なうことが可能になる。またこのように十分な糊付け面積を確保できるために、糊の塗付量が増大し、自動封緘機による接着不良がなくなって良好な接着が可能になる。
【００１６】
また上述のような構成の位置決め板と整合する底板の切欠きによって形成される凹部の形状も、底板の切欠きの根元側の部分に直線状側端部を十分に確保することが可能になり、これによって凹部の強度が十分な値を維持できるようになり、位置決め板と凹部とを整合させたときに上下の包装箱間での位置ずれが確実に防止される。
【図面の簡単な説明】
【００１７】
【図１】本発明の一実施の形態の包装箱を組立てる段ボール原紙の展開平面図である。
【図２】同段ボール原紙を折曲げて組立てられる包装箱の外観斜視図である。
【図３】同包装箱の上部開口を蓋板によって閉じた状態の外観斜視図である。
【図４】同包装箱の底面側の部分を示す逆様の状態の斜視図である。
【図５】複数段に積重ねたときに上下の包装箱が位置決め板と凹部とによって位置決めされる状態を示す要部縦断面図である。
【図６】位置決め板と蓋板との糊付けによる接合を示す位置決め板を破断して鎖線で示した状態の平面図である。
【図７】底板とフラップとの糊付けの状態を示す底板を鎖線で透視状態で示した包装箱の底面図である。
【発明を実施するための形態】
【００１８】
以下本願発明を図示の一実施の形態によって説明する。図１は本実施の形態の包装箱を組立てるための段ボール原紙を展開して示したものであって、この段ボール原紙は、組立てたときに互いに対向して配される一対の側板１１と、同じく組立てたときに互いに対向して配される一対の別の側板１２とを備えている。そして上記側板１１と別の側板１２との間には、斜めの側板１３が配される。またこの段ボール原紙の左端であって側板１１の側端には接合板１４が連設されている。これらの側板１１、別の側板１２、斜めの側板１３、および接合板１４は、互いに折曲げ線１５によって折曲げ可能に連結されている。なお別の側板１２のほぼ中央部には、切断線１６がミシン目状に形成され、押すと破断されて開口が形成されるようになっている。また一方の側板１１の上端側であって蓋板２０にかかる部分には別の切断線１７がミシン目によって長円形状に形成されている。
【００１９】
次に上記一対の側板１１の上端には蓋板２０が折曲げ線２１を介して折曲げ可能に連結されている。蓋板２０にはそのほぼ中央部に半円弧状の切断線２２がミシン目によって形成され、さらに切断線２２の両側には横方向に延びる別の切断線２３がミシン目によって形成される。また別の側板１２の上端部には、位置決め板２４が折曲げ線２５を介して折曲げ可能に連結されている。この位置決め板２４はその根元側の部分よりも先端側の部分の方が広くなっており、全体として逆台形状をなすとともに、先端の両肩の部分が円弧状に切断されている。
【００２０】
次に上記側板１１の下端には底板３０が折曲げ線３１を介して折曲げ可能に連結されている。底板３０は異形の６角形の形状をなすとともに、その先端側の肩の部分には切欠き３２が形成されている。またこの切欠き３２の根元側であって側端には直線状側端部３３が残存して形成されるようになっている。また別の側板１２の下端部には折曲げ線３４を介してフラップ３５が折曲げ可能に連結されている。
【００２１】
次にこのような段ボール原紙を折曲げて包装箱を組立てる動作について説明する。図１における左端の接合板１４を右端の斜めの側板１３に重合わせるようにして側板１１、別の側板１２、斜めの側板１３によって筒状に組立てる。これによって、横断面の形状が８角形の筒体が形成される（図２参照）。そしてこの後に、折曲げ線３４によってフラップ３５を内側に閉じ、さらに折曲げ線３１によって底板３０をフラップ３５の外側に重合うように閉じてフラップ３５に糊付けする。これらのフラップ３５と底板３０とによって、底部開口が閉塞される。また底板３０の両肩の部分の切欠き３２を整合させて形成される凹部３６を構成する開口の部分が、フラップ３５によって閉塞されることになり、底部に穴を生ずることがない。組立てられた状態の包装箱は図２に示される。
【００２２】
次のこのような包装箱に対して上部開口から内容物を充填し、その後に蓋板２０を折曲げ線２１によって折曲げて上部開口を閉じる。そしてさらにその後に、折曲げ線２５によって、別の側板１２の上端の位置決め板２４を蓋板２０の上面に重合わせる。蓋板２０と位置決め板２４とは、後述するように糊剤によって接合される。
【００２３】
図３は内容物が充填され、しかも蓋板２０が上部開口を閉じた状態を示している。この包装箱の特徴は、蓋板２０の上面にさらに位置決め板２４が重合わせるように接合されることである。すなわち蓋板２０には位置決め板２４が接合されて上部に突出するような状態になる。なお位置決め板２４は、上述の如く、逆台形状をなしており、その根元側の部分であって別の側板１２の上縁と折曲げ線２５を介して接する部分の幅よりも先端側の部分の幅が広くなる。
【００２４】
またこの包装箱を逆様にして見た場合には、図４に示すように、底部開口が底板３０によって閉塞される。そしてこの底板３０の両側の切欠き３２によって、底板３０の先端の突当て部分の両側にそれぞれ凹部３６が形成される。この凹部３６は、上記一対の切欠き３２を組合わせて成るものであって、上記位置決め板２４と整合するようになっている。すなわち位置決め板２４と凹部３６とが互いに係合して位置決めを行なうようにしている。
【００２５】
図５は位置決め板２４と凹部３６とによる位置決め動作を示している。この包装箱を複数段に積重ねた場合には、ある包装箱の上面であって蓋板２０の上面に上方に突出するように設けられている位置決め板２４が、その上に位置する別の包装箱の底部であって底板３０の切欠き３２を組合わせて成る凹部３６に係合されるようになる。上述の如く位置決め板２４と凹部３６とが互いに整合する形状になっているために、複数段に積重ねたときに、位置決め板２４と凹部３６とによって位置決め動作が行われることになり、崩れ難くなるとともに、複数段に確実に積上げることが可能になる。しかもこの包装箱は、上述の如くその横断面形状が８角形であるために（図２〜図４参照）、座屈強度が大きく、潰れ難い構造になっている。
【００２６】
図６は、封緘時にこの包装箱の蓋板２０と位置決め板２４との糊付けを行なう状態を示している。ここで位置決め板２４が上述の如く、その根元側の部分が狭く、先端側が広い逆台形状をなしているために、糊剤の塗付面積が大きくなっており、十分に糊剤を塗付して位置決め板２４を確実に蓋板２０の上面に糊付け接合することができる。従ってこのことから、とくに自動封緘機によって封緘を行なう場合にも、蓋板２０と位置決め板２４との間での接着不良をなくすことが可能になる。なお位置決め板２４は、図６に示すようにホットメルト４１とコールドグルー４２とをそれぞれ筋状に塗付して接合されるようになっている。なおここで図６は、ホットメルト４１およびコールドグルー４２の塗付位置を明確にするために、位置決め板２４を鎖線で透視的に示している。
【００２７】
一方この包装箱の底面は、図７に示すように、フラップ３５の外表面（底面）にそれぞれホットメルト４１とコールドグルー４２とを交互に筋状に塗付し、これらのホットメルト４１およびコールドグルー４２から成る糊剤を用いて、底板３０を外側から重合わせ、これによってフラップ３５と底板３０とを糊付け接合している。図７においてホットメルト４１とコールドグルー４２の塗付位置を明確にするために、フラップ３５の上に重合わされる底板３０については、鎖線で透視的に示している。
【００２８】
上述の如く、蓋板２０の上に重合わされる位置決め板２４は、根元側であって折曲げ線２５側の部分が幅が狭く、先端側の方が幅が広い逆台形状の形状にしているために、底板３０を切欠き３２によって切欠いて形成される凹部３６の形状についても、図４および図７に示すように、逆台形状の形状になる。そしてここで、とくに底板３０の切欠き３２よりも根元側の部分であってその両側端において所定の長さＬ（図１、図４参照）の直線状側端部３３を残存させることができる。このような長さＬの直線状側端部３３を残すことによって、凹部３６のとくに折曲げ線３４を介して接する別の側板１２側の両側部の強度が向上し、位置決め板２４と整合させたときの凹部３６の強度が十分な値を有するようになる。従ってこのことから、図５に示すように複数段にこの包装箱を積重ね、位置決め板２４と凹部３６とによって位置決めを行なう際の位置決めの機能が著しく向上することになり、位置ずれを起し難くなる。
【００２９】
以上本願発明を図示の実施の形態によって説明したが、本願発明は上記実施の形態によって限定されることなく、本願発明の技術的思想の範囲内において各種の変更が可能である。例えば上記実施の形態においては、側板１１と別の側板１２との間に斜めの側板１３が配される横断面８角形の包装箱に関するものであるが、斜めの側板１３をなくした通常の横断面正方形または横断面長方形の包装箱に適用することも可能である。
【産業上の利用可能性】
【００３０】
本願発明は、包装箱を複数段に積重ねておくときに位置決め板と凹部とによって互いに位置決めを行なうことが可能な包装箱に広く適用することが可能である。
【符号の説明】
【００３１】
１１  側板
１２  別の側板
１３  斜めの側板
１４  接合板
１５  折曲げ線
１６  切断線
１７  切断線
２０  蓋板
２１  折曲げ線
２２、２３  切断線
２４  位置決め板
２５  折曲げ線
３０  底板
３１  折曲げ線
３２  切欠き
３３  直線状側端部
３４  折曲げ線
３５  フラップ
３６  凹部
４１  ホットメルト
４２  コールドグルー
【図１】
2014069838.tif 000003
【図２】
2014069838.tif 000004
【図３】
2014069838.tif 000005
【図４】
2014069838.tif 000006
【図５】
2014069838.tif 000007
【図６】
2014069838.tif 000008
【図７】
2014069838.tif 000009
【手続補正書】
【提出日】平成24年10月13日(2012.10.13)
【手続補正１】
【補正対象書類名】図面
【補正対象項目名】全図
【補正方法】変更
【補正の内容】
【図１】
2014069838.tif 000010
【図２】
2014069838.tif 000011
【図３】
2014069838.tif 000012
【図４】
2014069838.tif 000013
【図５】
2014069838.tif 000014
【図６】
2014069838.tif 000015
【図７】
2014069838.tif 000016